(57)【要約】【課題】使用機器に対するユーザによる入力をより簡単にすることができる。【解決手段】ユーザID発行部６２Ａは、サーバ１４と通信可能なPC１２に入力され送信されてきたユーザ情報と対応付けてユーザIDとパスワードを発行し、整理番号発行部６２Ｂは、ユーザID発行部６２Ａにより発行されたユーザIDとパスワードと対応付けて、ユーザIDとパスワードに比べてユーザによる入力の簡単な整理番号と暗証番号を発行し、PC１２に送信してユーザに提示させ、通信部６１は、TV受像機１１から送信されてきた整理番号と暗証番号を受信し、ユーザIDダウンロード部６２Ｃは、通信部６１により受信された整理番号と暗証番号に対応付けられているユーザIDとパスワードをTV受像機１１に送信する。本発明は、互いに通信可能な複数の情報処理装置からなる情報処理システムに適用できる。【選択図】図２
2009043066.tif 000002
【特許請求の範囲】
【請求項１】
互いに通信可能な第１の情報処理装置、第２の情報処理装置、及び第３の情報処理装置からなる情報処理システムにおいて、
前記第１の情報処理装置は、
前記第２の情報処理装置の入力装置に入力され前記第２の情報処理装置から送信されてきたユーザに係るユーザ情報と対応付けてユーザ識別情報を発行する第１の発行手段と、
前記第１の発行手段により発行された前記ユーザ識別情報と対応付けて、前記ユーザ識別情報に比べてユーザによる入力の簡単な所定の情報を発行し、前記第２の情報処理装置に送信してユーザに提示させる第２の発行手段と、
前記第３の情報処理装置から送信されてきた前記所定の情報を受信する受信手段と、
前記受信手段により受信された前記所定の情報に対応付けられている前記ユーザ識別情報を前記第３の情報処理装置に送信する第１の送信手段と
を備え、
前記第２の情報処理装置は、
情報を入力する前記入力装置と、
前記所定の情報を提示する第１の提示手段と
を備え、
前記第３の情報処理装置は、
ユーザに前記所定の情報の入力を促す情報を提示する第２の提示手段と、
前記所定の情報を入力する入力手段と、
前記入力手段に入力された前記所定の情報を、前記第１の情報処理装置に送信する第２の送信手段と、
前記第１の情報処理装置の前記第１の送信手段から送信されてくる前記ユーザ識別情報を記憶する記憶手段と、
前記記憶手段に記憶された前記ユーザ識別情報に基づいて所定のサービスを享受する享受手段と
を備える
情報処理システム。
【請求項２】
他の情報処理装置と通信可能な情報処理装置において、
前記情報処理装置と通信可能な情報処理端末の入力装置に入力され送信されてきたユーザに係る情報であるユーザ情報と対応付けてユーザ識別情報を発行する第１の発行手段と、
前記第１の発行手段により発行された前記ユーザ識別情報と対応付けて、前記ユーザ識別情報に比べてユーザによる入力の簡単な所定の情報を発行し、前記情報処理端末に送信してユーザに提示させる第２の発行手段と、
前記他の情報処理装置から送信されてきた前記所定の情報を受信する受信手段と、
前記受信手段により受信された前記所定の情報に対応付けられている前記ユーザ識別情報を前記他の情報処理装置に送信する送信手段と
を備える情報処理装置。
【請求項３】
前記第２の発行手段は、前記所定の情報として整理番号を発行する
請求項２に記載の情報処理装置。
【請求項４】
前記第２の発行手段は、前記所定の情報として整理番号と暗証番号を発行する
請求項２に記載の情報処理装置。
【請求項５】
前記所定の情報の有効期間を設け、
前記他の情報処理装置から送信されてきた前記所定の情報が有効期間内のものであるかを判定する判定手段をさらに備え、
前記所定の情報が有効期間内の場合、前記受信手段により受信された前記所定の情報に対応付けられている前記ユーザ識別情報を前記他の情報処理装置に送信する
請求項２に記載の情報処理装置。
【請求項６】
前記第２の発行手段は、前記所定の情報として２次元バーコードを発行し、前記情報処理端末に送信して表示させ、
前記他の情報処理装置は、前記情報処理端末で表示された２次元バーコードを撮像して前記情報処理装置に送信する
請求項２に記載の情報処理装置。
【請求項７】
前記２次元バーコードの有効期間を設け、
前記他の情報処理装置から送信されてきた前記２次元バーコードが有効期間内のものであるかを判定する判定手段をさらに備え、
前記２次元バーコードが有効期間内の場合、前記受信手段により受信された前記所定の情報に対応付けられている前記ユーザ識別情報を前記他の情報処理装置に送信する
請求項６に記載の情報処理装置。
【請求項８】
前記第１の発行手段により発行された前記ユーザ識別情報の中に、前記他の情報処理装置から送信されてきた前記ユーザ識別情報に一致するものがあると判定された場合、所定のサービスを前記他の情報処理装置に提供する提供手段をさらに備える
請求項２に記載の情報処理装置。
【請求項９】
他の情報処理装置と通信可能な情報処理装置の情報処理方法において、
前記情報処理装置と通信可能な情報処理端末の入力装置に入力され送信されてきたユーザに係る情報であるユーザ情報と対応付けてユーザ識別情報を発行する第１の発行ステップと、
前記第１の発行ステップの処理により発行された前記ユーザ識別情報と対応付けて、前記ユーザ識別情報に比べてユーザによる入力の簡単な所定の情報を発行し、前記情報処理端末に送信してユーザに提示させる第２の発行ステップと、
前記他の情報処理装置から送信されてきた前記所定の情報を受信する受信ステップと、
前記受信ステップにより受信された前記所定の情報に対応付けられている前記ユーザ識別情報を前記他の情報処理装置に送信する送信ステップと
を含む情報処理方法。
【請求項１０】
他の情報処理装置と通信可能な情報処理装置の情報処理をコンピュータに実行させるプログラムにおいて、
前記情報処理装置と通信可能な情報処理端末の入力装置に入力され送信されてきたユーザに係る情報であるユーザ情報と対応付けてユーザ識別情報を発行する第１の発行ステップと、
前記第１の発行ステップの処理により発行された前記ユーザ識別情報と対応付けて、前記ユーザ識別情報に比べてユーザによる入力の簡単な所定の情報を発行し、前記情報処理端末に送信してユーザに提示させる第２の発行ステップと、
前記他の情報処理装置から送信されてきた前記所定の情報を受信する受信ステップと、
前記受信ステップにより受信された前記所定の情報に対応付けられている前記ユーザ識別情報を前記他の情報処理装置に送信する送信ステップと
を含む情報処理をコンピュータに実行させるプログラム。
【請求項１１】
他の情報処理装置と通信可能な情報処理装置において、
前記他の情報処理装置は、通信可能な情報処理端末の入力装置に入力され送信されてきたユーザに係る情報であるユーザ情報と対応付けてユーザ識別情報を発行し、前記ユーザ識別情報と対応付けて、前記ユーザ識別情報に比べてユーザによる入力の簡単な所定の情報を発行し、前記情報処理端末に送信してユーザに提示させ、
前記所定の情報の入力を促す情報をユーザに提示する提示手段と、
前記所定の情報を入力する入力手段と、
前記入力手段により入力された前記所定の情報を、前記他の情報処理装置に送信する送信手段と、
前記他の情報処理装置から送信されてくる前記ユーザ識別情報を記憶する記憶手段と、
前記記憶手段に記憶された前記ユーザ識別情報に基づいて所定のサービスを享受する享受手段と
を備える情報処理装置。
【請求項１２】
前記他の情報処理装置は、前記所定の情報として整理番号を発行する
請求項１１に記載の情報処理装置。
【請求項１３】
前記他の情報処理装置は、前記所定の情報として整理番号と暗証番号を発行する
請求項１１に記載の情報処理装置。
【請求項１４】
前記所定の情報の有効期間を設け、
前記他の情報処理装置は、前記情報処理装置の前記送信手段により送信された前記所定の情報が有効期間内の場合、前記受信手段により受信された前記所定の情報に対応付けられている前記ユーザ識別情報を前記情報処理装置に送信する
請求項１１に記載の情報処理装置。
【請求項１５】
前記他の情報処理装置は、前記所定の情報として２次元バーコードを発行し、前記情報処理端末に送信して表示させ、
前記情報処理装置は、２次元バーコードを撮像する撮像手段をさらに備え、
前記提示手段は、前記情報処理端末に表示された２次元バーコードの撮像を促す情報をユーザに提示し、
前記送信手段は、前記撮像手段により撮像された前記２次元バーコードを前記他の情報処理装置に送信する
請求項１１に記載の情報処理装置。
【請求項１６】
前記２次元バーコードの有効期間を設け、
前記他の情報処理装置は、前記情報処理装置の前記送信手段により送信された前記２次元バーコードが有効期間内の場合、前記受信手段により受信された前記所定の情報に対応付けられている前記ユーザ識別情報を前記情報処理装置に送信する
請求項１５に記載の情報処理装置。
【請求項１７】
他の情報処理装置と通信可能な情報処理装置の情報処理方法において、
前記他の情報処理装置は、通信可能な情報処理端末の入力装置に入力され送信されてきたユーザに係る情報であるユーザ情報と対応付けてユーザ識別情報を発行し、前記ユーザ識別情報と対応付けて、前記ユーザ識別情報に比べてユーザによる入力の簡単な所定の情報を発行し、前記情報処理端末に送信してユーザに提示させ、
前記所定の情報の入力を促す情報をユーザに提示する提示ステップと、
前記所定の情報を入力する入力ステップと、
前記入力ステップの処理により入力された前記所定の情報を、前記他の情報処理装置に送信する送信ステップと、
前記他の情報処理装置から送信されてくる前記ユーザ識別情報を記憶手段に記憶する記憶ステップと、
前記記憶手段に記憶された前記ユーザ識別情報に基づいて所定のサービスを享受する享受ステップと
を含む情報処理方法。
【請求項１８】
他の情報処理装置と通信可能な情報処理装置の情報処理をコンピュータに実行させるプログラムにおいて、
前記他の情報処理装置は、通信可能な情報処理端末の入力装置に入力され送信されてきたユーザに係る情報であるユーザ情報と対応付けてユーザ識別情報を発行し、前記ユーザ識別情報と対応付けて、前記ユーザ識別情報に比べてユーザによる入力の簡単な所定の情報を発行し、前記情報処理端末に送信してユーザに提示させ、
前記所定の情報の入力を促す情報をユーザに提示する提示ステップと、
前記所定の情報を入力する入力ステップと、
前記入力ステップの処理により入力された前記所定の情報を、前記他の情報処理装置に送信する送信ステップと、
前記他の情報処理装置から送信されてくる前記ユーザ識別情報を記憶手段に記憶する記憶ステップと、
前記記憶手段に記憶された前記ユーザ識別情報に基づいて所定のサービスを享受する享受ステップと
を含む情報処理をコンピュータに実行させるプログラム。
【発明の詳細な説明】
【技術分野】
【０００１】
本発明は情報処理システム、情報処理装置及び方法、並びにプログラムに関し、特に、例えば、互いに通信可能なサーバ及びユーザにより使用される使用機器において、ユーザの情報をサーバに登録するとともにサーバにより発行されるそのユーザのユーザ識別情報を使用機器に設定するための使用機器に対するユーザによる入力をより簡単にすることができるようにする情報処理システム、情報処理装置及び方法、並びにプログラムに関する。
【背景技術】
【０００２】
インターネットや専用ネットワーク等のネットワークに接続された、例えば通信機器、AV(Audio Visual)機器、オフィス機器等の端末が、そのネットワークを介して提供を受ける画像音声通信サービス、コンテンツ配信サービス、その他業務用サービス等のサービスを享受するのに、ユーザのユーザID(identifier)やパスワードが必要なものがある。このユーザIDやパスワードを取得するために、通常、例えば住所氏名や、電話番号、クレジットカード番号等の個人情報といったユーザの情報（以下、ユーザ情報と称する）の登録が必要となる。
【０００３】
ユーザ情報の登録の際、例えば端末にユーザ情報を入力するが、例えば端末がキーボード等を有しない場合、ユーザは、例えばその表示画面に表示されたソフトウェアキーボードを見ながらリモートコマンダの上下左右キーや決定キーを操作したり、テンキーを倣ったキーを操作したりする必要があり、ユーザによる入力は面倒であった。
【０００４】
このようなユーザによる入力に伴う労力を軽減するため、ユーザにより入力される情報の一部を、使用機器以外の例えばキーボードを有するような、使用機器に比べてユーザによる入力の簡単な装置に対して入力する方法（以下、第１の方法と称する）がある。
【０００５】
また使用機器に与えられた機器IDを利用する方法、すなわち例えば、ユーザ情報と機器IDの入力は、使用機器に比べてユーザによる入力のより簡単な装置に対して行われ、サーバでは、ユーザ情報とともに機器IDがユーザIDと対応付けられて登録される方法（以下、第２の方法と称する）がある。この第２の方法を用いた場合、これらの情報の登録後、使用機器からその機器IDがサーバに送信されるだけで、その機器IDに対応するユーザIDが分かるので、使用機器に対してユーザIDの入力を行わなくてもサービスの提供を受けることができる。
【０００６】
ところで、機器単位のユニークな機器認証情報を機器に提供する方法がある（特許文献１参照）。
【特許文献１】特開２００４−３５５３９６号公報
【発明の開示】
【発明が解決しようとする課題】
【０００７】
上述した第１の方法では、ユーザによる入力に伴う労力が軽減されているものの、それでもなお、少なくともユーザIDは、ユーザにより使用機器に対して入力される必要がある。そして、特に、ユーザIDがメールアドレスのようなアルファベットや記号などを含む長い文字列の場合、ユーザによる入力は依然として面倒である。また、上述した第２の方法では、機器IDを持つことが前提であるので、製造上の理由などで機器IDを持つことのできない機器ではこの方法は利用できない。
【０００８】
本発明は、このような状況に鑑みてなされたものであり、例えば、ユーザ情報をサーバに登録するとともにユーザ識別情報を使用機器に設定するための使用機器に対するユーザによる入力をより簡単にすることができるようにするものである。
【課題を解決するための手段】
【０００９】
本発明の第１の側面の情報処理システムは、互いに通信可能な第１の情報処理装置、第２の情報処理装置、及び第３の情報処理装置からなる情報処理システムにおいて、前記第１の情報処理装置は、前記第２の情報処理装置の入力装置に入力され前記第２の情報処理装置から送信されてきたユーザに係るユーザ情報と対応付けてユーザ識別情報を発行する第１の発行手段と、前記第１の発行手段により発行された前記ユーザ識別情報と対応付けて、前記ユーザ識別情報に比べてユーザによる入力の簡単な所定の情報を発行し、前記第２の情報処理装置に送信してユーザに提示させる第２の発行手段と、前記第３の情報処理装置から送信されてきた前記所定の情報を受信する受信手段と、前記受信手段により受信された前記所定の情報に対応付けられている前記ユーザ識別情報を前記第３の情報処理装置に送信する第１の送信手段とを備え、前記第２の情報処理装置は、情報を入力する前記入力装置と、前記所定の情報を提示する第１の提示手段とを備え、前記第３の情報処理装置は、ユーザに前記所定の情報の入力を促す情報を提示する第２の提示手段と、前記所定の情報を入力する入力手段と、前記入力手段に入力された前記所定の情報を、前記第１の情報処理装置に送信する第２の送信手段と、前記第１の情報処理装置の前記第１の送信手段から送信されてくる前記ユーザ識別情報を記憶する記憶手段と、前記記憶手段に記憶された前記ユーザ識別情報に基づいて所定のサービスを享受する享受手段とを備える。
【００１０】
本発明の第２の側面の情報処理装置は、他の情報処理装置と通信可能な情報処理装置において、前記情報処理装置と通信可能な情報処理端末の入力装置に入力され送信されてきたユーザに係る情報であるユーザ情報と対応付けてユーザ識別情報を発行する第１の発行手段と、前記第１の発行手段により発行された前記ユーザ識別情報と対応付けて、前記ユーザ識別情報に比べてユーザによる入力の簡単な所定の情報を発行し、前記情報処理端末に送信してユーザに提示させる第２の発行手段と、前記他の情報処理装置から送信されてきた前記所定の情報を受信する受信手段と、前記受信手段により受信された前記所定の情報に対応付けられている前記ユーザ識別情報を前記他の情報処理装置に送信する送信手段とを備える。
【００１１】
前記所定の情報の有効期間を設け、本発明の第２の側面の情報処理装置には、前記他の情報処理装置から送信されてきた前記所定の情報が有効期間内のものであるかを判定する判定手段をさらに設け、前記所定の情報が有効期間内であれば、その前記所定の情報と対応づけられている前記ユーザ識別情報を前記他の情報処理装置に送信させることができる。
【００１２】
２次元バーコードの有効期間を設け、本発明の第２の側面の情報処理装置には、前記他の情報処理装置から送信されてきた前記２次元バーコードが有効期間内のものであるかを判定する判定手段をさらに設け、前記２次元バーコードが有効期間内であれば、その前記所定の情報と対応づけられている前記ユーザ識別情報を前記他の情報処理装置に送信させることができる。
【００１３】
本発明の第２の側面の情報処理装置には、前記第１の発行手段により発行された前記ユーザ識別情報の中に、前記他の情報処理装置から送信されてきた前記ユーザ識別情報に一致するものがあると判定された場合、所定のサービスを前記他の情報処理装置に提供する提供手段をさらに設けることができる。
【００１４】
本発明の第２の側面の情報処理方法またはプログラムは、他の情報処理装置と通信可能な情報処理装置の情報処理方法または情報処理をコンピュータに実行させるプログラムであり、前記情報処理装置と通信可能な情報処理端末の入力装置に入力され送信されてきたユーザに係る情報であるユーザ情報と対応付けてユーザ識別情報を発行する第１の発行ステップと、前記第１の発行ステップの処理により発行された前記ユーザ識別情報と対応付けて、前記ユーザ識別情報に比べてユーザによる入力の簡単な所定の情報を発行し、前記情報処理端末に送信してユーザに提示させる第２の発行ステップと、前記他の情報処理装置から送信されてきた前記所定の情報を受信する受信ステップと、前記受信ステップにより受信された前記所定の情報に対応付けられている前記ユーザ識別情報を前記他の情報処理装置に送信する送信ステップとを含む情報処理方法または情報処理をコンピュータに実行させるプログラム。
【００１５】
本発明の第３の側面の情報処理装置は、他の情報処理装置と通信可能な情報処理装置において、前記他の情報処理装置には、通信可能な情報処理端末の入力装置に入力され送信されてきたユーザに係る情報であるユーザ情報と対応付けてユーザ識別情報を発行させ、前記ユーザ識別情報と対応付けて、前記ユーザ識別情報に比べてユーザによる入力の簡単な所定の情報を発行させ、前記情報処理端末に送信してユーザに提示させ、前記所定の情報の入力を促す情報をユーザに提示する提示手段と、前記所定の情報を入力する入力手段と、前記入力手段により入力された前記所定の情報を、前記他の情報処理装置に送信する送信手段と、前記他の情報処理装置から送信されてくる前記ユーザ識別情報を記憶する記憶手段と、前記記憶手段に記憶された前記ユーザ識別情報に基づいて所定のサービスを享受する享受手段とを備える。
【００１６】
前記他の情報処理装置には、前記所定の情報として２次元バーコードを発行させ、前記情報処理端末に送信して表示させ、本発明の第３の側面の情報処理装置には、２次元バーコードを撮像する撮像手段をさらに設け、前記提示手段には、前記情報処理端末に表示された２次元バーコードの撮像を促す情報をユーザに提示させ、前記送信手段には、前記撮像手段により撮像された前記２次元バーコードを前記他の情報処理装置に送信させる。
【００１７】
本発明の第３の側面の情報処理方法またはプログラムは、他の情報処理装置と通信可能な情報処理装置の情報処理方法または情報処理をコンピュータに実行させるプログラムであり、前記他の情報処理装置には、通信可能な情報処理端末の入力装置に入力され送信されてきたユーザに係る情報であるユーザ情報と対応付けてユーザ識別情報を発行させ、前記ユーザ識別情報と対応付けて、前記ユーザ識別情報に比べてユーザによる入力の簡単な所定の情報を発行させ、前記情報処理端末に送信してユーザに提示させ、前記所定の情報の入力を促す情報をユーザに提示する提示ステップと、前記所定の情報を入力する入力ステップと、前記入力ステップの処理により入力された前記所定の情報を、前記他の情報処理装置に送信する送信ステップと、前記他の情報処理装置から送信されてくる前記ユーザ識別情報を記憶手段に記憶する記憶ステップと、前記記憶手段に記憶された前記ユーザ識別情報に基づいて所定のサービスを享受する享受ステップとを含む。
【００１８】
本発明の第１の側面においては、第１の情報処理装置では、前記第２の情報処理装置の入力装置に入力され前記第２の情報処理装置から送信されてきたユーザに係るユーザ情報と対応付けてユーザ識別情報が発行され、発行された前記ユーザ識別情報と対応付けて、前記ユーザ識別情報に比べてユーザによる入力の簡単な所定の情報が発行され、前記第２の情報処理装置に送信されてユーザに提示され、前記第３の情報処理装置から送信されてきた前記所定の情報が受信され、受信された前記所定の情報に対応付けられている前記ユーザ識別情報が前記第３の情報処理装置に送信され、前記第２の情報処理装置では、情報が前記入力装置に入力され、前記所定の情報が提示され、前記第３の情報処理装置では、ユーザに前記所定の情報の入力を促す情報が提示され、前記所定の情報が入力され、入力された前記所定の情報が、前記第１の情報処理装置に送信され、前記第１の情報処理装置の前記第１の送信手段から送信されてくる前記ユーザ識別情報が記憶手段に記憶され、前記記憶手段に記憶された前記ユーザ識別情報に基づいて所定のサービスが享受される。
【００１９】
本発明の第２の側面においては、情報処理装置と通信可能な情報処理端末の入力装置に入力され送信されてきたユーザに係る情報であるユーザ情報と対応付けてユーザ識別情報が発行され、発行された前記ユーザ識別情報と対応付けて、前記ユーザ識別情報に比べてユーザによる入力の簡単な所定の情報が発行され、前記情報処理端末に送信されてユーザに提示され、前記他の情報処理装置から送信されてきた前記所定の情報が受信され、受信された前記所定の情報に対応付けられている前記ユーザ識別情報が前記他の情報処理装置に送信される。
【００２０】
本発明の第３の側面においては、他の情報処理装置では、通信可能な情報処理端末の入力装置に入力され送信されてきたユーザに係る情報であるユーザ情報と対応付けてユーザ識別情報が発行され、前記ユーザ識別情報と対応付けて、前記ユーザ識別情報に比べてユーザによる入力の簡単な所定の情報が発行され、前記情報処理端末に送信されてユーザに提示され、前記所定の情報の入力を促す情報がユーザに提示され、前記所定の情報が入力され、入力された前記所定の情報が、前記他の情報処理装置に送信され、前記他の情報処理装置から送信されてくる前記ユーザ識別情報が記憶手段に記憶され、前記記憶手段に記憶された前記ユーザ識別情報に基づいて所定のサービスが享受される。
【発明の効果】
【００２１】
本発明の第１乃至第３の側面によれば、例えば、使用機器に対するユーザによる入力をより簡単にすることができる。
【発明を実施するための最良の形態】
【００２２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の第１の側面の情報処理システム（例えば、図２のサービス提供システム１）は、
互いに通信可能な第１の情報処理装置（例えば、図２のサーバ１４）、第２の情報処理装置（例えば、図２のPC１２）、及び第３の情報処理装置（例えば、図２のTV受像機１１）からなる情報処理システムにおいて、
前記第１の情報処理装置は、
前記第２の情報処理装置の入力装置（例えば、図２の入力部５１）に入力され前記第２の情報処理装置から送信されてきたユーザに係るユーザ情報と対応付けてユーザ識別情報を発行する第１の発行手段（例えば、図２のユーザID発行部６２Ａ）と、
前記第１の発行手段により発行された前記ユーザ識別情報と対応付けて、前記ユーザ識別情報に比べてユーザによる入力の簡単な所定の情報を発行し、前記第２の情報処理装置に送信してユーザに提示させる第２の発行手段（例えば、図２の整理番号発行部６２Ｂ）と、
前記第３の情報処理装置から送信されてきた前記所定の情報を受信する受信手段（例えば、図２の通信部６１）と、
前記受信手段により受信された前記所定の情報に対応付けられている前記ユーザ識別情報を前記第３の情報処理装置に送信する第１の送信手段（例えば、図２の通信部６１）と
を備え、
前記第２の情報処理装置は、
情報を入力する前記入力装置と、
前記所定の情報を提示する第１の提示手段（例えば、図２の表示部５２）と
を備え、
前記第３の情報処理装置は、
ユーザに前記所定の情報の入力を促す情報を提示する第２の提示手段（例えば、図２の表示部４２）と、
前記所定の情報を入力する入力手段（例えば、図２の受光部４１）と、
前記入力手段に入力された前記所定の情報を、前記第１の情報処理装置に送信する第２の送信手段（例えば、図２の通信部４４）と、
前記第１の情報処理装置の前記第１の送信手段から送信されてくる前記ユーザ識別情報を記憶する記憶手段（例えば、図２の記憶部４５）と、
前記記憶手段に記憶された前記ユーザ識別情報に基づいて所定のサービスを享受する享受手段（例えば、図２の制御部４３）と
を備える。
【００２４】
本発明の第２の側面の情報処理装置は、
他の情報処理装置（例えば、図２のTV受像機１１）と通信可能な情報処理装置（例えば、図２のサーバ１４）において、
前記情報処理装置と通信可能な情報処理端末（例えば、図２のPC１２）の入力装置（例えば、図２の入力部５１）に入力され送信されてきたユーザに係る情報であるユーザ情報と対応付けてユーザ識別情報を発行する第１の発行手段（例えば、図２のユーザID発行部６２Ａ）と、
前記第１の発行手段により発行された前記ユーザ識別情報と対応付けて、前記ユーザ識別情報に比べてユーザによる入力の簡単な所定の情報を発行し、前記情報処理端末に送信してユーザに提示させる第２の発行手段（例えば、図２の整理番号発行部６２Ｂ）と、
前記他の情報処理装置から送信されてきた前記所定の情報を受信する受信手段（例えば、図２の通信部６１）と、
前記受信手段により受信された前記所定の情報に対応付けられている前記ユーザ識別情報を前記他の情報処理装置に送信する送信手段（例えば、図２の通信部６１）と
を備える。
【００２５】
前記所定の情報の有効期間を設け、
本発明の第２の側面の情報処理装置には、
前記他の情報処理装置から送信されてきた前記所定の情報が有効期間内のものであるかを判定する判定手段（例えば、図２のユーザIDダウンロード部６２Ｃ）をさらに設け、
前記所定の情報が有効期間内の場合、前記受信手段により受信された前記所定の情報に対応付けられている前記ユーザ識別情報を前記他の情報処理装置に送信させることができる。
【００２６】
２次元バーコードの有効期間を設け、
本発明の第２の側面の情報処理装置には、
前記他の情報処理装置から送信されてきた前記２次元バーコードが有効期間内のものであるかを判定する判定手段（例えば、図２のユーザIDダウンロード部６２Ｃ）をさらに設け、
前記２次元バーコードが有効期間内の場合、前記受信手段により受信された前記所定の情報に対応付けられている前記ユーザ識別情報を前記他の情報処理装置に送信させることができる。
【００２７】
本発明の第２の側面の情報処理装置には、
前記第１の発行手段により発行された前記ユーザ識別情報の中に、前記他の情報処理装置から送信されてきた前記ユーザ識別情報に一致するものがあると判定された場合、所定のサービスを前記他の情報処理装置に提供する提供手段（例えば、図２の制御部７２）をさらに設けることができる。
【００２８】
本発明の第２の側面の情報処理方法またはプログラムは、
他の情報処理装置と通信可能な情報処理装置の情報処理方法または情報処理をコンピュータに実行させるプログラムであり、
前記情報処理装置と通信可能な情報処理端末の入力装置に入力され送信されてきたユーザに係る情報であるユーザ情報と対応付けてユーザ識別情報を発行する第１の発行ステップ（例えば、図３のステップＳ１５）と、
前記第１の発行ステップの処理により発行された前記ユーザ識別情報と対応付けて、前記ユーザ識別情報に比べてユーザによる入力の簡単な所定の情報を発行し、前記情報処理端末に送信してユーザに提示させる第２の発行ステップ（例えば、図３のステップＳ２０）と、
前記他の情報処理装置から送信されてきた前記所定の情報を受信する受信ステップ（例えば、図４のステップＳ５１）と、
前記受信ステップにより受信された前記所定の情報に対応付けられている前記ユーザ識別情報を前記他の情報処理装置に送信する送信ステップ（例えば、図４のステップＳ５５）と
を含む情報処理方法または情報処理をコンピュータに実行させるプログラム。
【００２９】
本発明の第３の側面の情報処理装置は、
他の情報処理装置（例えば、図２のサーバ１４）と通信可能な情報処理装置（例えば、図２のTV受像機１１）において、
前記他の情報処理装置には、通信可能な情報処理端末（例えば、図２のPC１２）の入力装置（例えば、図２の入力部５１）に入力され送信されてきたユーザに係る情報であるユーザ情報と対応付けてユーザ識別情報を発行させ、前記ユーザ識別情報と対応付けて、前記ユーザ識別情報に比べてユーザによる入力の簡単な所定の情報を発行させ、前記情報処理端末に送信してユーザに提示させ、
前記所定の情報の入力を促す情報をユーザに提示する提示手段（例えば、図２の表示部４２）と、
前記所定の情報を入力する入力手段（例えば、図２の受光部４１）と、
前記入力手段により入力された前記所定の情報を、前記他の情報処理装置に送信する送信手段（例えば、図２の通信部４４）と、
前記他の情報処理装置から送信されてくる前記ユーザ識別情報を記憶する記憶手段（例えば、図２の記憶部４５）と、
前記記憶手段に記憶された前記ユーザ識別情報に基づいて所定のサービスを享受する享受手段（例えば、図２の制御部４３）と
を備える。
【００３０】
前記他の情報処理装置には、
前記所定の情報として２次元バーコードを発行させ、前記情報処理端末に送信して表示させ、
本発明の第３の側面の情報処理装置には、２次元バーコードを撮像する撮像手段（例えば、図６の撮像部１０１）をさらに設け、
前記提示手段には、前記情報処理端末に表示された２次元バーコードの撮像を促す情報をユーザに提示させ、
前記送信手段には、前記撮像手段により撮像された前記２次元バーコードを前記他の情報処理装置に送信させる。
【００３１】
本発明の第３の側面の情報処理方法またはプログラムは、
他の情報処理装置と通信可能な情報処理装置の情報処理方法または情報処理をコンピュータに実行させるプログラムであり、
前記他の情報処理装置には、通信可能な情報処理端末の入力装置に入力され送信されてきたユーザに係る情報であるユーザ情報と対応付けてユーザ識別情報を発行させ、前記ユーザ識別情報と対応付けて、前記ユーザ識別情報に比べてユーザによる入力の簡単な所定の情報を発行させ、前記情報処理端末に送信してユーザに提示させ、
前記所定の情報の入力を促す情報をユーザに提示する提示ステップ（例えば、図４のステップＳ４２）と、
前記所定の情報を入力する入力ステップ（例えば、図４のステップＳ４３）と、
前記入力ステップの処理により入力された前記所定の情報を、前記他の情報処理装置に送信する送信ステップ（例えば、図４のステップＳ４３）と、
前記他の情報処理装置から送信されてくる前記ユーザ識別情報を記憶手段に記憶する記憶ステップ（例えば、図４のステップＳ４６）と、
前記記憶手段に記憶された前記ユーザ識別情報に基づいて所定のサービスを享受する享受ステップ（例えば、図２の制御部４３による処理）と
を含む。
【００３２】
以下、図面を参照して本発明を適用した実施の形態について説明する。
【００３３】
図１は、本発明を適用したサービス提供システム１の機能的構成例を示す図である。
【００３４】
サービス提供システム１は、TV(Television)受像機１１、PC１２、インターネット１３、及びサーバ１４から構成される。
【００３５】
TV受像機１１には、インターネット１３に接続された様々なサーバのサイトを閲覧するためのブラウザが搭載されており、ユーザIDとパスワードに基づいて、サーバ１４のサービス提供サーバ１４Ｂが提供する例えばユーザにより撮像された画像を保存し、保存された画像を所定のメンバが閲覧できるようにする画像共有サービス等を利用することができる。
【００３６】
このユーザIDとパスワードは、ユーザがリモートコマンダ３１を操作して、所定の整理番号等を入力するだけで、TV受像機１１に設定されるようになされている。
【００３７】
PC１２及びサーバ１４の顧客管理サーバ１４Ａは、TV受像機１１のユーザに関する情報（以下、個人情報と称する）の登録を行い、整理番号、並びにユーザID及びパスワードを発行する処理（以下、個人情報登録処理と称する）と、発行されたユーザIDとパスワードをTV受像機１１に設定する処理（以下、ユーザID設定処理と称する）を行う。
【００３８】
次に、図２を参照して、ユーザID設定処理を実現するTV受像機１１の内部構成例について説明する。
【００３９】
TV受像機１１は、例えば、受光部４１、表示部４２、制御部４３、通信部４４、及び記憶部４５から構成される。
【００４０】
受光部４１は、リモートコマンダ３１から照射される赤外線等の光を受光することにより、ユーザによりリモートコマンダ３１に入力される情報に対応する情報を入力して制御部４３に供給する。表示部４２は、制御部４３から供給される画像データやテキスト等をその図示せぬ表示画面に表示することにより対応する画像や文字をユーザに提示する。
【００４１】
制御部４３は、例えばCPU(Central Processing Unit)等で構成され、TV受像機１１の各部を制御する。例えば制御部４３は、後述するように、サーバ１４と協働してユーザID設定処理を実行する。また制御部４３は、ユーザID設定処理により設定されたユーザIDやパスワードに基づいて、サーバ１４から所定のサービスを享受する処理を実行する。
【００４２】
通信部４４は、制御部４３の制御に基づいて、制御部４３から供給されるデータやコマンドをサーバ１４（の顧客管理サーバ１４Ａまたはサービス提供サーバ１４Ｂ）に送信するとともに、サーバ１４（の顧客管理サーバ１４Ａまたはサービス提供サーバ１４Ｂ）から送信されてくるデータやコマンドを受信して制御部４３に供給する。記憶部４５は、例えば、フラッシュメモリやハードディスク等で構成され、制御部４３から供給されるユーザIDやパスワード等のデータを記憶する。
【００４３】
次に、個人情報登録処理を実現するPC１２の構成例について説明する。
【００４４】
PC１２は、例えば、入力部５１、表示部５２、制御部５３、通信部５４から構成される。
【００４５】
入力部５１は、例えば、キーボードやマウス、マイクロホン等から構成され、ユーザにより入力部５１に入力される情報に対応する情報を入力して制御部４３に供給する。表示部５２は、制御部５３から供給される画像データやテキスト等をその図示せぬ表示画面に表示することにより対応する画像や文字をユーザに提示する。
【００４６】
制御部５３は、例えばCPU等で構成され、PC１２の各部を制御する。例えば制御部５３は、後述するように、サーバ１４と協働して個人情報登録処理を実行する。
【００４７】
通信部５４は、制御部５３の制御に基づいて、制御部５３から供給されるデータやコマンドをサーバ１４（の顧客管理サーバ１４Ａ）に送信するとともに、サーバ１４（の顧客管理サーバ１４Ａ）から送信されてくるデータやコマンドを受信して制御部５３に供給する。
【００４８】
次に、サーバ１４の構成例について説明する。このサーバ１４は、顧客管理サーバ１４Ａ及びサービス提供サーバ１４Ｂから構成される。
【００４９】
顧客管理サーバ１４Ａは、個人情報登録処理およびユーザID設定処理を実行する。顧客管理サーバ１４Ａは、例えば、通信部６１、制御部６２、記憶部６３から構成される。
【００５０】
通信部６１は、制御部６２の制御に基づいて、制御部６２から供給されるデータやコマンドをTV受像機１１や、PC１２、サービス提供サーバ１４Ｂに送信するとともに、TV受像機１１や、PC１２、サービス提供サーバ１４Ｂから送信されてくるデータやコマンドを受信して制御部６２に供給する。
【００５１】
制御部６２は、例えばCPU等で構成され、顧客管理サーバ１４Ａの各部を制御する。例えば制御部６２は、後述するように、PC１２と協働して個人情報登録処理を実行する。また制御部６２は、後述するように、TV受像機１１と協働してユーザID設定処理を実行する。
【００５２】
記憶部６３は、例えば、フラッシュメモリやハードディスク等で構成され、データや各種の設定等を記憶する。記憶部６３は、個人情報登録処理で発行された所定の整理番号等を、顧客管理テーブルに記憶する。
【００５３】
制御部６２の構成例は、個人情報登録処理及びユーザID設定処理と合わせて後述する。
【００５４】
サービス提供サーバ１４Ｂは、所定のサービスを提供する処理を実現する。サービス提供サーバ１４Ｂは、通信部７１、制御部７２、及び記憶部７３から構成される。
【００５５】
通信部７１は、制御部７２から供給されるデータやコマンドをTV受像機１１や顧客管理サーバ１４Ａに送信するとともに、TV受像機１１や顧客管理サーバ１４Ａから送信されてくるデータやコマンドを受信して制御部７２に供給する。
【００５６】
制御部７２は、例えばCPU等で構成され、サービス提供サーバ１４Ｂの各部を制御するとともに、通信部７１から供給されるデータやコマンドに基づいて、各種の処理を行う。制御部７２は、例えば、通信部７１から供給される顧客管理サーバ１４ＡからのユーザIDとパスワードを、記憶部７３に供給して記憶させる。制御部７２は、通信部７１から、例えばTV受像機１１からの（受信された）サービス提供サイトを表示するためのデータの送信を要求するコマンドが供給されると、サービス提供サイトを表示するためのデータを記憶部７３から読み出して通信部７１に供給してTV受像機１１に送信させるとともに、例えばユーザIDとパスワードの送信を要求するコマンドを通信部７１に供給してTV受像機１１に送信させる。そして、制御部７２は、通信部７１から、このユーザIDとパスワードの送信を要求するコマンドに応じて送信されてくる、TV受像機１１からの（受信された）ユーザIDとパスワードのセットが供給されると、記憶部７３に記憶されているユーザIDとパスワードのセットに、この受信されたユーザIDとパスワードのセットと一致するものがあるときに、このユーザが正規なユーザであると判断し、提供するサービスに係るデータやコマンドを通信部７１に供給してTV受像機１１に送信させる。
【００５７】
記憶部７３は、例えば、フラッシュメモリやハードディスク等で構成され、データや各種の設定等を記憶する。記憶部７３は、例えばユーザIDとパスワードを対応付けて記憶するとともに、提供するサービスに係るデータ等を記憶する。
【００５８】
次に、図３のフローチャートを参照して、PC１２及びサーバ１４による個人情報登録処理について説明する。
【００５９】
なお、ユーザは、まだ個人情報の登録を行っておらず、TV受像機１１には、ユーザIDとパスワードが設定されていないものとする。このような場合、TV受像機１１は、TV受像機１１に比べてユーザによる入力が簡単な入力装置から個人情報の登録を行うようにユーザに促すメッセージ等を表示部４２の表示画面に表示してユーザに提示する。このメッセージ等を提示されたユーザは、このメッセージ等に従って、TV受像機１１に比べてユーザによる入力が簡単な例えばPC１２を用いて、サーバ１４（の顧客管理サーバ１４Ａ）により管理されているユーザ登録サイトを閲覧しようとしているものとする。
【００６０】
まず、PC１２による個人情報登録処理について説明する。
【００６１】
ステップＳ１において、PC１２は、ユーザにより入力された例えばユーザ登録サイトを表示するためのデータの送信を要求するコマンドをサーバ１４に送信することにより、サーバ１４にアクセスする。
【００６２】
ステップＳ２において、PC１２は、ステップＳ１で送信したコマンドに応じて、そのユーザ登録サイトを表示するためのテキストや画像等のデータとともにサーバ１４から送信されてくる、希望のユーザIDとパスワードの入力を要求するコマンドを受信し、表示部５２の表示画面に、例えば希望のユーザIDとパスワードを入力するための入力画面を表示する。そして、PC１２は、ユーザにより入力部５１に入力された希望のユーザIDとパスワードをサーバ１４に送信する。
【００６３】
ステップＳ３において、PC１２（の制御部５３）は、例えばユーザIDとパスワードを送信してから希望のユーザIDとパスワードの再入力を要求するコマンドが送信されてくるまでの所要時間に対応する時間だけ待った後、サーバ１４から希望のユーザIDとパスワードの再入力を要求するコマンドが送信されてきたかを判定する。ステップＳ３において、サーバ１４から希望のユーザIDとパスワードの再入力を要求するコマンドが送信されてきたと判定された場合、処理はステップＳ２に戻り、以下、同様の処理が繰り返される。
【００６４】
一方、ステップＳ３において、サーバ１４から希望のユーザIDとパスワードの再入力を要求するコマンドが送信されてこなかったと判定された場合、ステップＳ４において、PC１２は、サーバ１４から送信されてくる個人情報としての例えば住所氏名や、電話番号、クレジットカード番号等の個人情報の入力を要求するコマンドを受信し、例えば表示部５２の表示画面にこれらの個人情報を入力するための入力画面を表示する。そして、PC１２は、ユーザにより入力部５１に入力された個人情報をサーバ１４に送信する。
【００６５】
ステップＳ５において、PC１２は、サーバ１４から送信されてくる一時的なユーザ希望の暗証番号の入力を要求するコマンドを受信し、例えば表示部５２の表示画面に、一時的なユーザ希望の暗証番号を入力するための入力画面を表示する。そして、PC１２は、ユーザにより入力部５１に入力された一時的な暗証番号をサーバ１４に送信する。
【００６６】
ステップＳ６において、PC１２は、サーバ１４から送信されてくる、ユーザIDと一時的な整理番号とそれらの表示を要求するコマンドを受信し、表示部５２の表示画面にユーザIDと一時的な整理番号を表示してユーザに提示する。そして、PC１２による個人情報登録処理は終了する。
【００６７】
次に、サーバ１４（の顧客管理サーバ１４Ａ）による個人情報登録処理について説明する。
【００６８】
なお、顧客管理サーバ１４Ａの制御部６２は、ユーザID発行部６２Ａ、整理番号発行部６２Ｂ、及びユーザIDダウンロード部６２Ｃから構成される。
【００６９】
ステップＳ１１において、サーバ１４（の顧客管理サーバ１４Ａ）では、制御部６２は、通信部６１から、例えばPC１２からの（受信された）ユーザ登録サイトを表示するためのテキストや画像等のデータを要求するコマンドが送信されてくると、そのユーザ登録サイトを表示するためのテキストや画像等のデータを記憶部６３から読み出し、希望のユーザIDとパスワードの入力を要求するコマンドとともに通信部６１に供給してPC１２に送信させる。
【００７０】
ステップＳ１２において、通信部６１は、ステップＳ１１で送信した希望のユーザIDとパスワードの入力を要求するコマンドまたはステップＳ１４で送信した希望のユーザIDとパスワードの再入力を要求するコマンドに応じてPC１２から送信されてくるユーザIDとパスワードを受信する。
【００７１】
ステップＳ１３において、制御部６２のユーザID発行部６２Ａは、記憶部６３の顧客管理テーブルに登録されているユーザIDの中に、ステップＳ１２で受信されたユーザIDに一致するものがあるかを判定する。ステップＳ１３において、ステップＳ１２で受信されたユーザIDに一致するものがあると判定された場合、ステップＳ１４において、例えば同じユーザIDに複数の個人情報が重複して登録されるのを避けるために、ユーザID発行部６２Ａは、希望のユーザIDとパスワードの再入力を要求するコマンドを通信部６１に供給してPC１２に送信させる。そして、処理はステップＳ１２に戻り、以下、同様の処理が繰り返される。
【００７２】
一方、ステップＳ１３において、ステップＳ１２で受信された希望のユーザIDに一致するものがないと判定された場合、ステップＳ１５において、ユーザID発行部６２Ａは、受信されたユーザIDとパスワードを個人情報の登録に用いるユーザIDとパスワードとして発行する。
【００７３】
ステップＳ１６において、ユーザID発行部６２Ａは、個人情報の入力を要求するコマンドを通信部６１に供給してPC１２に送信させる。
【００７４】
ステップＳ１７において、通信部６１は、ステップＳ１６で送信した個人情報の入力を要求するコマンドに応じてPC１２から送信されてくる個人情報を受信する。
【００７５】
ステップＳ１８において、制御部６２の整理番号発行部６２Ｂは、一時的なユーザ希望の暗証番号の入力を要求するコマンドを通信部６１に供給してPC１２に送信させる。
【００７６】
ステップＳ１９において、通信部６１は、ステップＳ１８で送信した一時的なユーザ希望の暗証番号の入力を要求するコマンドに応じて、PC１２から送信されてくる一時的な暗証番号を受信する。
【００７７】
ステップＳ２０において、整理番号発行部６２Ｂは、例えば乱数を発生してその乱数を一時的な整理番号として発行する。なお、サーバ１４には多数のユーザの個人情報が登録されるため、あるユーザの整理番号が他のユーザのものと重複しないよう、また悪意あるユーザにより無作為な数字が整理番号に利用されても正規なユーザのものと重複しないよう、本来であれば整理番号の桁数は大きくする必要があるが、一方で、この整理番号はユーザによりTV受像機１１に入力されるものなので、その整理番号を桁数分の文字として入力するための労力を軽減したり、その整理番号をユーザに覚え易いものにしたりする必要がある。そこで、この例では、整理番号の桁数を本来のものより短くし、その代わりに有効期間を設けたり、ユーザが希望する暗証番号を併用したりしており、短い桁数でも本来の整理番号と同程度のセキュリティが得られるようにしてある。
【００７８】
ステップＳ２１において、整理番号発行部６２Ｂは、ユーザID発行部６２Ａで発行されたユーザIDとパスワード、通信部６１で受信した個人情報及び一時的な暗証番号、並びに、発行した一時的な整理番号を、記憶部６３に供給して互いに対応付けて顧客管理テーブルに登録させる。
【００７９】
ステップＳ２２において、整理番号発行部６２Ｂは、このユーザIDと一時的な整理番号を、このユーザIDと一時的な整理番号の表示を要求するコマンドとともに通信部６１に供給してPC１２に送信させる。そして、サーバ１４による個人情報登録処理は終了する。
【００８０】
次に、図４のフローチャートを参照して、TV受像機１１及びサーバ１４によるユーザID設定処理について説明する。
【００８１】
なお、ユーザは、まだ個人情報の登録を行っておらず、TV受像機１１には、ユーザIDとパスワードが設定されていないものとする。
【００８２】
まず、TV受像機１１によるユーザID設定処理について説明する。なおこの処理は、例えばリモートコマンダ３１に対してサービス提供サーバ１４Ｂからのサービス提供を受けるための操作がなされたときに開始される。
【００８３】
ステップＳ４１において、TV受像機１１は、ユーザIDとパスワードが記憶部４５に設定済みであるかを判定する。ステップＳ４１において、ユーザIDとパスワードが記憶部４５に設定済みでないと判定された場合、ステップＳ４２において、TV受像機１１は、個人情報の登録を行うようにユーザに促すメッセージ等と、（一時的な）整理番号と（一時的な）暗証番号とをTV受像機１１に入力するための入力画面等とを表示部４２の表示画面に表示してユーザに提示する。
【００８４】
このメッセージ等を提示されたユーザは、すでに上述した個人情報登録処理が実行され、（一時的な）整理番号と（一時的な）暗証番号を知っている場合は、それらを、リモートコマンダ３１を操作して入力する。一方、個人情報登録処理が実行されていない場合（すなわち個人情報が登録されていない場合）、ユーザは、このメッセージ等に従って例えばPC１２を用いて、サーバ１４（の顧客管理サーバ１４Ａ）により管理されているユーザ登録サイトを閲覧するものとする。そして、PC１２及びサーバ１４による上述した個人情報登録処理が行われ、（一時的な）整理番号と（一時的な）暗証番号をユーザが知ると、ユーザはそれらをPC１２に入力する。
【００８５】
ステップＳ４３において、TV受像機１１は、ユーザによりリモートコマンダ３１に入力された、個人情報登録処理でユーザに提示された一時的な整理番号に対応する一時的な整理番号と、ユーザによりPC１２に入力された一時的な暗証番号に対応する一時的な暗証番号とを入力し、サーバ１４に送信する。
【００８６】
このユーザによりTV受像機１１に入力された一時的な整理番号と一時的な暗証番号には、例えば全ての文字が数字からなりユーザIDとパスワードより合計の文字数が少ないもの等を用いる。これにより、ユーザによるこの一時的な整理番号と一時的な暗証番号の入力は、ユーザIDとパスワードの入力に比べて簡単なので、ユーザによる入力の労力を小さくすることができる。
【００８７】
ステップＳ４４において、TV受像機１１は、例えば一時的な整理番号と一時的な暗証番号を送信してから一時的な整理番号と一時的な暗証番号の再入力を要求するコマンドが送信されてくるまでの所要時間に対応する時間だけ待った後、サーバ１４から一時的な整理番号と一時的な暗証番号の再入力を要求するコマンドが送信されてきたかを判定する。ステップＳ４４において、サーバ１４から一時的な整理番号と一時的な暗証番号の再入力を要求するコマンドが送信されてきたと判定された場合、処理はステップＳ４３に戻り、以下、同様の処理が繰り返される。
【００８８】
一方、ステップＳ４４において、サーバ１４から一時的な整理番号と一時的な暗証番号の再入力を要求するコマンドが送信されてこなかったと判定された場合、ステップＳ４５において、さらに所定の時間だけ待った後、サーバ１４から最初からのやり直しを要求するコマンドが送信されてきたかを判定する。ステップＳ４５において、サーバ１４から最初からのやり直しを要求するコマンドが送信されてきたと判定された場合、処理はステップＳ４２に戻り、以下、同様の処理が繰り返される。
【００８９】
ステップＳ４５において、サーバ１４から最初からのやり直しを要求するコマンドが送信されてきていないと判定された場合、ステップＳ４６において、TV受像機１１は、ユーザIDとパスワードのダウンロードを要求するコマンドをサーバ１４に送信する。
【００９０】
ステップＳ４７において、TV受像機１１は、ステップＳ４６で送信したユーザIDとパスワードのダウンロードを要求するコマンドに応じてサーバ１４から送信されてくるユーザIDとパスワードを受信して記憶部４５に記憶（設定）する。そして、TV受像機１１によるユーザID設定処理は終了する。
【００９１】
これにより、TV受像機１１にユーザIDとパスワードが設定されたので、以後、TV受像機１１は、サーバ１４（のサービス提供サーバ１４Ｂ）からサービスの提供を受ける際、この設定されたユーザIDとパスワードをサーバ１４に送信するだけでサービスの提供を受けることができ、ユーザによるユーザIDとパスワードの入力を不要とすることができる。
【００９２】
次に、サーバ１４によるユーザID設定処理について説明する。
【００９３】
ステップＳ５１において、サーバ１４の通信部６１は、TV受像機１１から送信されてくる一時的な整理番号と一時的な暗証番号を受信する。
【００９４】
ステップＳ５２において、制御部６２のユーザIDダウンロード部６２Ｃは、記憶部６３の顧客管理テーブルに登録されている対応する一時的な整理番号と一時的な暗証番号のセットの中に、ステップＳ５１で受信された一時的な整理番号と一時的な暗証番号のセットに一致するものがあるかを判定する。ステップＳ５２において、ステップＳ５１で受信された一時的な整理番号と一時的な暗証番号のセットに一致するものがあると判定された場合、ステップＳ５３において、ユーザIDダウンロード部６２Ｃは、ステップＳ５１で受信した一時的な整理番号と一時的な暗証番号は有効期間内のものであるかを判定する。
【００９５】
ステップＳ５２において、ステップＳ５１で受信された一時的な整理番号と一時的な暗証番号のセットに一致するものがないと判定された場合、ステップＳ５３において、ユーザIDダウンロード部６２Ｃは、一時的な整理番号と一時的な暗証番号の再入力を要求するコマンドを通信部６１に供給してTV受像機１１に送信させる。そして、処理はステップＳ５１に戻り、以下、同様の処理が繰り返される。
【００９６】
一方、ステップＳ５２において、ステップＳ５１で受信された一時的な整理番号と一時的な暗証番号のセットに一致するものがあると判定された場合、ステップＳ５４において、ユーザIDダウンロード部６２Ｃは、ステップＳ５１で受信した一時的な整理番号と一時的な暗証番号は有効期間内のものであるかを判定する。ステップＳ５４において、ステップＳ５１で受信された一時的な整理番号と一時的な暗証番号のいずれかが有効期間内のものでないと判定された場合、この一時的な整理番号と一時的な暗証番号のいずれかが無効であるので、ステップＳ５５において、ユーザIDダウンロード部６２Ｃは、個人情報の登録をユーザに促すメッセージ等と、一時的な整理番号と一時的な暗証番号とを入力するための入力画面等の表示から、すなわち最初からのやり直しを要求するコマンドを通信部６１に供給してTV受像機１１に送信させる。そして、処理はステップＳ５１に戻り、以下、同様の処理が繰り返される。
【００９７】
一方、ステップＳ５４において、ステップＳ５１で受信された一時的な整理番号と一時的な暗証番号はいずれも有効期間内のものであると判定された場合、通信部６１から、TV受像機１１からのユーザIDとパスワードの送信を要求するコマンドが供給されるのを待って、ステップＳ５６において、ユーザIDダウンロード部６２Ｃは、ステップＳ５４で有効期間内のものであると判定された一時的な整理番号と一時的な暗証番号に対応するユーザIDとパスワードを、記憶部６３の顧客管理テーブルから読み出し、通信部６１に供給してTV受像機１１に送信させる。そして、サーバ１４によるユーザID設定処理は終了する。
【００９８】
以上のように、ユーザによりTV受像機１１に入力されるものを、ユーザIDとパスワードに比べてユーザによる入力の簡単な一時的な整理情報及び一時的な暗証番号だけにしたので、TV受像機１１等の使用機器のユーザ情報をサーバに登録するとともにサーバにより発行されるユーザのユーザ識別情報を使用機器に設定するための使用機器に対するユーザによる入力をより簡単にすることができる。
【００９９】
次に、図５を参照して、サービス提供システム８１の構成例について説明する。
【０１００】
なお、図５では、図１のサービス提供システム１における対応する部分には同じ符号を付しており、その説明は適宜省略する。すなわち図５のサービス提供システム８１には、図１のTV受像機１１に代えてディジタルカメラ９１が設けられ、リモートコマンダ３１が削除されている。また、サーバ１４の顧客管理サーバ１４Ａに替えて、顧客管理サーバ１１０が設けられている。
【０１０１】
ディジタルカメラ９１は、図６に示すように、例えば、撮像部１０１、表示部１０２、制御部１０３、通信部１０４、及び記憶部１０５から構成される。
【０１０２】
撮像部１０１は、撮像レンズや、撮像素子、画像データの信号処理部等から構成され、ユーザによる図示せぬシャッタボタン等の操作に基づいて画像の撮像を行い、撮像した画像の画像データを制御部１０３に供給する。表示部１０２は、制御部１０３から供給される画像データやテキスト等をその図示せぬ表示画面に表示することにより、それらに対応する画像や文字をユーザに提示する。
【０１０３】
制御部１０３は、例えばCPU等で構成され、ディジタルカメラ９１の各部を制御する。例えば制御部１０３は、後述するように、サーバ１４と協働してユーザID設定処理を実行する。また制御部４３は、ユーザID設定処理により設定されたユーザIDやパスワードに基づいて、サーバ１４から所定のサービスを享受する処理を実行する。
【０１０４】
通信部１０４は、制御部１０３から供給されるデータやコマンドをサーバ１４の顧客管理サーバ１４Ａまたはサービス提供サーバ１４Ｂに送信するとともに、サーバ１４の顧客管理サーバ１４Ａまたはサービス提供サーバ１４Ｂから送信されてくるデータやコマンドを受信して制御部１０３に供給する。記憶部１０５は、例えば、フラッシュメモリやハードディスク等で構成され、制御部１０３から供給されるユーザIDやパスワード等のデータを記憶する。
【０１０５】
顧客管理サーバ１１０には、図２の顧客管理サーバ１４Ａの制御部６２に替えて、制御部１１１が設けられている。制御部１１１の構成例は、個人情報登録処理及びユーザID設定処理と合わせて後述する。
【０１０６】
次に、図７のフローチャートを参照して、PC１２及びサーバ１４による個人情報登録処理について説明する。
【０１０７】
なお、ユーザは、まだ個人情報の登録を行っておらず、ディジタルカメラ９１には、ユーザIDとパスワードが設定されていないものとする。このような場合、ディジタルカメラ９１は、ディジタルカメラ９１に比べてユーザによる入力の簡単な入力装置から個人情報の登録を行うようにユーザに促すメッセージ等を表示部４２の表示画面に表示してユーザに提示する。このメッセージ等を提示されたユーザは、このメッセージ等に従って、ディジタルカメラ９１に比べてユーザによる入力が簡単な例えばPC１２を用いて、サーバ１４（の顧客管理サーバ１４Ａ）により管理されているユーザ登録サイトを閲覧しようとしているものとする。
【０１０８】
まず、PC１２による個人情報登録処理について説明する。
【０１０９】
ステップＳ７１において、PC１２は、ユーザにより入力された例えばユーザ登録サイトを表示するためのデータの送信を要求するコマンドをサーバ１４に送信することにより、サーバ１４にアクセスする。
【０１１０】
ステップＳ７２において、PC１２は、ステップＳ７１で送信したコマンドに応じて、そのユーザ登録サイトを表示するためのテキストや画像等のデータとともにサーバ１４から送信されてくる、希望のユーザIDとパスワードの入力を要求するコマンドを受信し、表示部５２の表示画面に、例えば希望のユーザIDとパスワードを入力するための入力画面を表示する。そして、PC１２は、ユーザにより入力部５１に入力された希望のユーザIDとパスワードをサーバ１４に送信する。
【０１１１】
ステップＳ７３において、PC１２（の制御部５３）は、例えばユーザIDとパスワードを送信してから希望のユーザIDとパスワードの再入力を要求するコマンドが送信されてくるまでの所要時間に対応する時間だけ待った後、サーバ１４から希望のユーザIDとパスワードの再入力を要求するコマンドが送信されてきたかを判定する。ステップＳ７３において、サーバ１４から希望のユーザIDとパスワードの再入力を要求するコマンドが送信されてきたと判定された場合、処理はステップＳ７２に戻り、以下、同様の処理が繰り返される。
【０１１２】
一方、ステップＳ７３において、サーバ１４から希望のユーザIDとパスワードの再入力を要求するコマンドが送信されてこなかったと判定された場合、ステップＳ７４において、PC１２は、サーバ１４から送信されてくる個人情報としての例えば住所氏名や、電話番号、クレジットカード番号等の個人情報の入力を要求するコマンドを受信し、例えば表示部５２の表示画面にこれらの個人情報を入力するための入力画面を表示する。そして、PC１２は、ユーザにより入力部５１に入力された個人情報をサーバ１４に送信する。
【０１１３】
ステップＳ７５において、PC１２は、サーバ１４から送信されてくる、ユーザIDと２次元バーコードとそれらの表示を要求するコマンドを受信し、表示部５２の表示画面にこれらのユーザIDと２次元バーコードを表示してユーザに提示する。そして、PC１２による個人情報登録処理は終了する。
【０１１４】
次に、サーバ１４による個人情報登録処理について説明する。
【０１１５】
なお、顧客管理サーバ１１０の制御部１１１は、ユーザID発行部６２Ａ、２次元バーコード発行部１１２、及びユーザIDダウンロード部６２Ｃから構成される。
【０１１６】
なお、図６には、この個人情報登録処理と後述するユーザID設定処理を実現するサーバ１４の構成例が示されている。図６では、図２のサービス提供システム８１における対応する部分には同じ符号を付しており、その説明は適宜省略する。すなわち図６のサーバ１４の制御部１１１には、図２の整理番号発行部６２Ｂに代えて２次元バーコード発行部１１２が設けられている。
【０１１７】
ステップＳ８１において、サーバ１４（の顧客管理サーバ１１０）では、制御部１１１は、通信部６１から、例えばPC１２の（受信された）ユーザ登録サイトを表示するためのテキストや画像等のデータを要求するコマンドが送信されてくると、そのユーザ登録サイトを表示するためのテキストや画像等のデータを記憶部６３から読み出し、希望のユーザIDとパスワードの入力を要求するコマンドとともに通信部６１に供給してPC１２に送信させる。
【０１１８】
ステップＳ８２において、通信部６１は、ステップＳ８１で送信した希望のユーザIDとパスワードの入力を要求するコマンドまたはステップＳ８４で送信した希望のユーザIDとパスワードの再入力を要求するコマンドに応じてPC１２から送信されてくるユーザIDとパスワードを受信する。
【０１１９】
ステップＳ８３において、制御部１１１のユーザID発行部６２Ａは、記憶部６３の顧客管理テーブルに登録されているユーザIDの中に、ステップＳ８２で受信されたユーザIDに一致するものがあるかを判定する。ステップＳ８３において、ステップＳ８２で受信されたユーザIDに一致するものがあると判定された場合、ステップＳ８４において、例えば同じユーザIDに複数の個人情報が重複して登録されるのを避けるために、ユーザID発行部６２Ａは、希望のユーザIDとパスワードの再入力を要求するコマンドを通信部６１に供給してPC１２に送信させる。そして、処理はステップＳ８２に戻り、以下、同様の処理が繰り返される。
【０１２０】
一方、ステップＳ８３において、ステップＳ１２で受信されたユーザIDに一致するものがないと判定された場合、ステップＳ８５において、ユーザID発行部６２Ａは、受信されたユーザIDとパスワードを個人情報の登録に用いるユーザIDとパスワードとして発行する。
【０１２１】
ステップＳ８６において、ユーザID発行部６２Ａは、個人情報の入力を要求するコマンドを通信部６１に供給してPC１２に送信させる。
【０１２２】
ステップＳ８７において、通信部６１は、ステップＳ８６で送信した個人情報の入力を要求するコマンドに応じてPC１２から送信されてくる個人情報を受信する。
【０１２３】
ステップＳ８８において、制御部１１１の２次元バーコード発行部１１２は、例えば乱数を発生してその乱数とする整理番号を記録した２次元バーコードを発行する。
【０１２４】
この２次元バーコードには、上述した一時的な整理番号に相当する整理番号が記録されているが、この整理番号としては、多数のユーザが個人情報の登録を行っても整理番号が重複することがなく、また悪意あるユーザが無作為な番号を用いてもその番号が登録されている整理番号と重複してしまう可能性が十分に小さくなるよう、本来の整理番号の桁数、すなわち上述した一時的な整理番号の桁数に比べて長い桁数のものを用いるようにしてある。２次元バーコードは比較的大容量なのでこのようなことが可能であり、上述した一時的な暗証番号は不要となり、また２次元バーコードの有効期間は不要となるか、あるいは長くとることができる。なお、ここでは、２次元バーコードの有効期間はないものとする。
【０１２５】
ステップＳ８９において、２次元バーコード発行部１１２は、ユーザID発行部６２Ａで発行されたユーザIDとパスワード、通信部６１で受信した個人情報、並びに、発行した２次元バーコードを、記憶部６３に供給して互いに対応付けて顧客管理テーブルに登録させる。
【０１２６】
ステップＳ９０において、２次元バーコード発行部１１２は、このユーザIDと２次元バーコードを、このユーザIDと２次元バーコードの表示を要求するコマンドとともに通信部６１に供給してPC１２に送信させる。そして、サーバ１４による個人情報登録処理は終了する。
【０１２７】
次に、図８のフローチャートを参照して、ディジタルカメラ９１及びサーバ１４によるユーザID設定処理について説明する。
【０１２８】
なお、ユーザは、まだ個人情報の登録を行っておらず、ディジタルカメラ９１には、ユーザIDとパスワードが設定されていないものとする。
【０１２９】
まず、ディジタルカメラ９１によるユーザID設定処理について説明する。なお、この処理は、例えば図示せぬ入力部に対してサービス提供サーバ１４Ｂからのサービス提供を受けるための操作がなされたときに開始される。
【０１３０】
ステップＳ１０１において、ディジタルカメラ９１は、ユーザIDとパスワードが記憶部１０５に設定済みであるかを判定する。ステップＳ１０１において、ユーザIDとパスワードが記憶部１０５に設定済みでないと判定された場合、ステップＳ１０２において、ディジタルカメラ９１は、ディジタルカメラ９１に比べてユーザによる入力の簡単な例えばPC１２等から個人情報の登録を行うようにユーザに促すメッセージ等と、その個人情報の登録でユーザに提示される２次元バーコードの撮像を促すメッセージ等とを表示部１０２の表示画面に表示してユーザに提示する。
【０１３１】
このメッセージ等を提示されたユーザは、すでに上述した個人情報登録処理が実行され、PC１２の表示部５２の表示画面に２次元バーコードが表示されている場合は、ユーザは、ディジタルカメラ９１を利用してその２次元バーコードを撮像することで、ディジタルカメラ９１に２次元バーコードを入力する。一方、個人情報登録処理が実行されていない場合（すなわち個人情報が登録されていない場合）、ユーザは、このメッセージ等に従って例えばPC１２を用いて、サーバ１４（の顧客管理サーバ１４Ａ）により管理されているユーザ登録サイトを閲覧するものとする。そして、PC１２及びサーバ１４による上述した個人情報登録処理が行われ、２次元バーコードがPC１２の表示部５２の表示画面に表示されると、ユーザは、ディジタルカメラ９１を利用してその２次元バーコードを撮像することで、ディジタルカメラ９１に２次元バーコードを入力する。
【０１３２】
ステップＳ１０３において、ディジタルカメラ９１は、上述した個人情報登録処理でユーザに提示された２次元バーコードを、ユーザによる図示せぬシャッタボタン等の操作に基づいて撮像し、その撮像した画像から認識された２次元バーコード（ユーザにより入力された２次元バーコード）を、サーバ１４に送信する。
【０１３３】
このユーザによるこの２次元バーコードの入力は、ユーザIDとパスワードの入力に比べて簡単なので、ユーザによる入力の労力を小さくすることができる。
【０１３４】
ステップＳ１０４において、ディジタルカメラ９１は、例えば２次元バーコードを送信してから２次元バーコードの再撮像を要求するコマンドが送信されてくるまでの所要時間に対応する時間だけ待った後、サーバ１４から２次元バーコードの再撮像を要求するコマンドが送信されてきたかを判定する。ステップＳ４４において、サーバ１４から２次元バーコードの再撮像を要求するコマンドが送信されてきたと判定された場合、処理はステップＳ１０３に戻り、以下、同様の処理が繰り返される。
【０１３５】
一方、ステップＳ１０４において、サーバ１４から２次元バーコードの再撮像を要求するコマンドが送信されてこなかったと判定された場合、ステップＳ１０５において、ディジタルカメラ９１は、ユーザIDとパスワードのダウンロードを要求するコマンドをサーバ１４に送信する。
【０１３６】
ステップＳ１０６において、ディジタルカメラ９１は、ステップＳ１０５で送信したユーザIDとパスワードのダウンロードを要求するコマンドに応じてサーバ１４から送信されてくるユーザIDとパスワードを受信して記憶部１０５に記憶（設定）する。そして、ディジタルカメラ９１によるユーザID設定処理は終了する。
【０１３７】
これにより、ディジタルカメラ９１にユーザIDとパスワードが設定されたので、以後、ディジタルカメラ９１は、サーバ１４（のサービス提供サーバ１４Ｂ）からサービスの提供を受ける際、この設定されたユーザIDとパスワードをサーバ１４に送信するだけでサービスの提供を受けることができ、ユーザによるユーザIDとパスワードの入力を不要とすることができる。
【０１３８】
次に、サーバ１４によるユーザID設定処理について説明する。
【０１３９】
ステップＳ１１１において、サーバ１４の通信部６１は、ディジタルカメラ９１から送信されてくる２次元バーコードを受信する。
【０１４０】
ステップＳ１１２において、制御部６２のユーザIDダウンロード部６２Ｃは、記憶部６３の顧客管理テーブルに登録されている２次元バーコードの中に、ステップＳ１１１で受信された２次元バーコードに一致するものがあるかを判定する。ステップＳ１１２において、ステップＳ１１１で受信された２次元バーコードに一致するものがないと判定された場合、ステップＳ１１３において、ユーザIDダウンロード部６２Ｃは、２次元バーコードの再撮像を要求するコマンドを通信部６１に供給してディジタルカメラ９１に送信させる。そして、処理はステップＳ１１１に戻り、以下、同様の処理が繰り返される。
【０１４１】
一方、ステップＳ１１２において、ステップＳ１１１で受信された２次元バーコードに一致するものがあると判定された場合、通信部６１から、ディジタルカメラ９１からのユーザIDとパスワードの送信を要求するコマンドが供給されるのを待って、ステップＳ１１４において、ユーザIDダウンロード部６２Ｃは、ステップＳ１１２で一致するものがあると判定された２次元バーコードに対応するユーザIDとパスワードを、記憶部６３の顧客管理テーブルから読み出し、通信部６１に供給してディジタルカメラ９１に送信させる。そして、サーバ１４によるユーザID設定処理は終了する。
【０１４２】
以上のように、ユーザによるユーザIDとパスワードの入力に比べて簡単なユーザによる２次元バーコードの撮像を行うようにしたので、ディジタルカメラ９１等の使用機器のユーザ情報をサーバに登録するとともにサーバにより発行されるユーザのユーザ識別情報を使用機器に設定するための使用機器に対するユーザによる入力をより簡単にすることができる。
【０１４３】
また、２次元バーコードを用いることで、上述したように２次元バーコードの有効期間は不要となるか、あるいは長くとることができるので、有効期間が切れた場合に２次元バーコードを再発行する手間を省くか、あるいは減らすことができる。
【０１４４】
なお、この実施の形態では、整理番号が記録されるものとして２次元バーコードを用いることとしたが、その他、例えば１次元のバーコードや整理番号そのもの等の、撮像された画像から認識することが可能なあらゆるものを用いることができる。
【０１４５】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１４６】
図９は、上述した一連の処理をプログラムにより実行するコンピュータのハードウェアの構成例を示すブロック図である。
【０１４７】
コンピュータにおいて、CPU１３１，ROM（Read Only Memory）１３２，RAM（Random Access Memory）１３３は、バス１３４により相互に接続されている。
【０１４８】
バス１３４には、さらに、入出力インタフェース１３５が接続されている。入出力インタフェース１３５には、キーボード、マウス、マイクロホンなどよりなる入力部１３６、ディスプレイ、スピーカなどよりなる出力部１３７、ハードディスクや不揮発性のメモリなどよりなる記憶部１３８、ネットワークインタフェースなどよりなる通信部１３９、磁気ディスク、光ディスク、光磁気ディスク、或いは半導体メモリなどのリムーバブルメディア１４１を駆動するドライブ１４０が接続されている。
【０１４９】
以上のように構成されるコンピュータでは、CPU１３１が、例えば、記憶部１３８に記憶されているプログラムを、入出力インタフェース１３５及びバス１３４を介して、RAM１３３にロードして実行することにより、上述した一連の処理が行われる。
【０１５０】
コンピュータ（CPU１３１）が実行するプログラムは、例えば、磁気ディスク（フレキシブルディスクを含む）、光ディスク（CD−ROM(Compact Disc−Read Only Memory),DVD(Digital Versatile Disc)等）、光磁気ディスク、もしくは半導体メモリなどよりなるパッケージメディアであるリムーバブルメディア１４１に記録して、あるいは、ローカルエリアネットワーク、インターネット、ディジタル衛星放送といった、有線または無線の伝送媒体を介して提供される。
【０１５１】
そして、プログラムは、リムーバブルメディア１４１をドライブ１４０に装着することにより、入出力インタフェース１３５を介して、記憶部１３８にインストールすることができる。また、プログラムは、有線または無線の伝送媒体を介して、通信部１３９で受信し、記憶部１３８にインストールすることができる。その他、プログラムは、ROM１３２や記憶部１３８に、あらかじめインストールしておくことができる。
【０１５２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５３】
なお、本発明の実施の形態は、上述した実施の形態に限定されるものではなく、本発明の要旨を逸脱しない範囲において種々の変更が可能である。
【図面の簡単な説明】
【０１５４】
【図１】サービス提供システム１の構成例を示す図である。
【図２】TV受像機１１、PC１２、及び顧客管理サーバ１４Ａの内部構成例を示す図である。
【図３】PC１２及びサーバ１４による個人情報登録処理を説明するフローチャートである。
【図４】TV受像機１１及びサーバ１４によるユーザID設定処理を説明するフローチャートである。
【図５】サービス提供システム８１の構成例を示す図である。
【図６】ディジタルカメラ９１、PC１２、及び顧客管理サーバ１４Ａの内部構成例を示す図である。
【図７】PC１２及びサーバ１４による個人情報登録処理を説明するフローチャートである。
【図８】ディジタルカメラ９１及びサーバ１４によるユーザID設定処理を説明するフローチャートである。
【図９】本発明を適用したコンピュータのハードウェアの構成例を示すブロック図である。
【符号の説明】
【０１５５】
１  サービス提供システム，  １１  TV受像機，  １２  PC，  １３  インターネット，  １４  サーバ，  １４Ａ  顧客管理サーバ，  １４Ｂ  サービス提供サーバ，  ３１  リモートコマンダ，  ４１  受光部，  ４２  表示部，  ４３  制御部，  ４４  通信部，  ４５  記憶部，  ５１  入力部，  ５２  表示部，  ５３  制御部，  ５４  通信部，  ６１  通信部，  ６２  制御部，  ６２Ａ  ユーザID発行部，  ６２Ｂ  整理番号発行部，  ６２Ｃ  ユーザIDダウンロード部，  ６３  記憶部，  ７１  通信部，  ７２  制御部，  ７３  記憶部，  ８１  サービス提供システム，  ９１  ディジタルカメラ，  １０１  撮像部，  １０２  表示部，  １０３  制御部，  １０４  通信部，  １０５  記憶部，  １１０  顧客管理サーバ，  １１１  制御部，  １１２  ２次元バーコード発行部，  １３１  ＣＰＵ，  １３２  ROM，  １３３  RAM，  １３４  バス，  １３５  入出力インタフェース，  １３６  入力部，  １３７  出力部，  １３８  記憶部，  １３９  通信部，  １４０  ドライブ，  １４１  リムーバブルメディア
【図１】
2009043066.tif 000003
【図２】
2009043066.tif 000004
【図３】
2009043066.tif 000005
【図４】
2009043066.tif 000006
【図５】
2009043066.tif 000007
【図６】
2009043066.tif 000008
【図７】
2009043066.tif 000009
【図８】
2009043066.tif 000010
【図９】
2009043066.tif 000011